(57)【要約】      （修正有）【課題】組み立てが簡単で組み立てる前は平らな嵩張らない形状にできる収容容器及び収容容器集合体を提供する。【解決手段】合金製の１枚の板材からなる本体プレート２に複数の透孔列からなる直線状の２つの平行な折れ線８を形成し、折れ線に沿って折り曲げることで天板６と左右の側板７からなるコ字状に屈曲された本体プレートとなし、側板の開放端部間を底板１５で連結するようにした。簡単に組み立てられ、組み立てる前は平らな嵩張らない形状とできるため運搬性、格納性に優れた収容容器又は収容容器集合体を構成できる。【選択図】図４
0003218040.tif 000002
【実用新案登録請求の範囲】
【請求項１】
合金製の１枚の板材からなる本体に複数の透孔列からなる直線状の２つの平行な折れ線を形成し、前記折れ線に沿って折り曲げることで天板と左右の側板からなるコ字状に屈曲された前記本体となし、前記側板の開放端部間を連結部材で連結することで構成したことを特徴とする収容容器。
【請求項２】
２つの平行な前記折れ線はそれぞれ近い方の前記開放端部までの距離が等距離に設定されていることを特徴とする請求項１に記載の収容容器。
【請求項３】
前記開放端部と前記連結部材とは固定部材によって連結されることを特徴とする請求項１又は２に記載の収容容器。
【請求項４】
請求項１〜３のいずれかの収容容器を使用した収容容器集合体であって、複数の同形状の前記収容容器同士を前記天板と前記連結部材を面着させて、あるいは前記側板同士を面着させ、前記固定部材によって前記面着面同士間を連結して構成したことを特徴とする収容容器集合体。
【考案の詳細な説明】
【技術分野】
【０００１】
本考案は、物を収容するための収容容器及び収容容器集合体に関するものである。
【背景技術】
【０００２】
従来から物を収容するための収容容器として縦方向に伸びる側板に対して水平な棚板を固定したものがある。そのような一例として非特許文献１を挙げる。
【先行技術文献】
【特許文献】
【０００３】
【非特許文献１】ニトリ公式通販  ニトリネット  本棚(サラ 1077 DBR)[online][平成３０年５月１４日検索]、インターネット＜ＵＲＬ：https://www.nitori-net.jp/store/ja/ec/OfficeBookshelfStationery/Bookshelf/8843024s?ptr=item＞
【考案の概要】
【考案が解決しようとする課題】
【０００４】
このような収容容器では、部材が多く、組み立てが面倒である。また、重量もあるため持ち運びが面倒である。
【課題を解決するための手段】
【０００５】
上記の目的を達成するための第１の手段として、合金製の１枚の板材からなる本体に複数の透孔列からなる直線状の２つの平行な折れ線を形成し、前記折れ線に沿って折り曲げることで天板と左右の側板からなるコ字状に屈曲された前記本体となし、前記側板の開放端部間を連結部材で連結することで構成した。
これによって、収容容器の組み立てが簡単となり、組み立てる前は平らな嵩張らない形状にできるため運搬性、格納性に優れる。
合金製の板材はコ字状に折り曲げた際に（つまり９０度の角度まで屈曲させた場合）素材の金属が塑性変形して、その曲げられた形状を保つことが可能な素材である必要がある。例えば、鉄合金、アルミニウム合金、銅合金等がよい。過度に硬すぎたり、逆に曲げた状態を維持できないほど柔らかな金属も好適ではない。折れ線に沿って折ることで正確な直線に沿って予定された位置で折り曲げることができる。
【０００６】
また、第２の手段として、２つの平行な前記折れ線はそれぞれ近い方の前記開放端部までの距離が等距離に設定されているようにした。
このような構成であれば収容容器は天板が水平に配置されることとなり、収容容器として収まりがよい。
また、第３の手段として、前記開放端部と前記連結部材とは固定部材によって連結されるようにした。
固定部材によってネジや溶接等を使用せずに簡単に連結できるため、組み立て作業が簡略化する。固定部材とは例えばスナップロックや雄ネジとナットの組み合わせ、木ねじ等がよい。
また、第４の手段として、第１の手段〜第３の手段のいずれかの収容容器を使用した収容容器集合体であって、複数の同形状の前記収容容器同士を前記天板と前記連結部材を面着させて、あるいは前記側板同士を面着させ、前記固定部材によって前記面着面同士間を連結して構成した。
複数の収容容器を組み立てることで簡単に多くの収容部分を有する収容容器集合体を構築できる。
【考案の効果】
【０００７】
本考案によれば、簡単に組み立てられ、組み立てる前は平らな嵩張らない形状とできるため運搬性、格納性に優れた収容容器又は収容容器集合体を提供することができる。
【図面の簡単な説明】
【０００８】
【図１】実施の形態の収容容器を構成する本体プレートの（ａ）は正面図、（ｂ）は平面図、（ｃ）は側面図。
【図２】図１の本体プレートを折れ線位置で折り曲げた状態の正面図。
【図３】底板の一部破断正面図。
【図４】収容容器の組み立て例の分解斜視図。
【図５】図４で組み立てた収容容器を４つ組み合わせて連結した例の斜視図。
【考案を実施するための形態】
【０００９】
以下、本考案の実施の形態の収容容器及び収容容器集合体の一例について図面に基づいて説明する。
収容容器としての収容ボックス１の本体プレート２は一枚のアルミ合金製の板をプレス成形して構成されている。図１（ｂ）に示すように、本体プレート２は平面視において長方形形状の外観とされている。本体プレート２の長手方向端面は屈曲されて補強部４ａ、４ｂが形成されている。収容ボックス１組み立て後に前面となる側の補強部４ａはコ字状に（チャンネル状に）形成され、背面となる側の補強部４ｂはＬ字状に形成されている。図１（ｃ）及び図３に示すように、長手方向と交差する短手方向の端部には内側に９０度折り曲げて形成された取り付け片５が設けられている。取り付け片５には取り付け用の透孔１０が形成されている。
図１（ａ）及び（ｂ）に示すように、本体プレート２は将来的に天板６と左右の側板７となる３つの領域に２つの平行な折れ線８によって区画されている。折れ線８は直線状に形成された複数の（ここでは一例として８つの）長孔列から構成されている。本体プレート２の短手方向の両側の端部からそれぞれ近い側の折れ線８までの距離は等距離に設定されている。補強部４は折れ線８位置において直角の切り欠き９が形成されている。将来的に天板６となる領域には折れ線８寄りに取り付け用の透孔１１が形成されている。将来的に側板７となる領域には装飾と軽量化を兼ねた窓孔１２が形成され、短手方向の端部寄りと折れ線８寄りに取り付け用の透孔１３が形成されている。
【００１０】
次にこのような本体プレート２を使用して収容ボックス１を組み立てる組み立て方法の一例を説明する。収容ボックス１は本体プレート２の他に、底板１５とスナップロック１６を使用する。
図３に示すように、底板１５は本体プレート２と同様に一枚のアルミ合金製の平板をプレス成形して構成されている。底板１５の短手方向の端部寄りに取り付け用の透孔１７が形成されている。スナップロック１６は雄雌一対の固定部材である。作業者は平板状の本体プレート２の短手方向の端部寄りを把持し、本体プレート２を内側に折り曲げるように本体プレート２に外力を与える。すると、折れ線８位置は他の位置に比べて応力が小さいため降伏し、塑性変形して図２に示すように、コ字状の外形となる。図４に示すように、コ字状の外形となった本体プレート２の開放端部側の取り付け片５の透孔１０を底板１５の透孔１７に照合させ、表裏からスナップロック１６で連結する。
このようにして構成される収容ボックス１は、収容ボックス１を１単位として図５のように天板６の透孔１１や側板７の透孔１３を利用してスナップロック１６で相互に連結して収容容器集合体を構成することができる。
【００１１】
このような構成の収容ボックス１及び収容容器集合体では次のような効果が奏される。（１）本体プレート２は折り曲げる前は平板な形態であるため嵩張らず、運搬や収納に優れている。
（２）本体プレート２を曲げるだけで本体プレート２はコ字状に立体化し、それに底板１５を連結するだけで組み立てられるため、従来のこの種の収納容器に比べて組み立ての作業性が向上する。
（３）本体プレート２を曲げるだけで本体プレート２はコ字状に立体化し、それに底板１５を連結するだけで強固なラーメン構造の収容ボックス１となるため、薄手のアルミ合金であっても、堅固な収容容器を提供することができる。
（４）ねじではなくスナップロック１６を使用しているため組み立ての作業時間が短くなる。
【００１２】
上記実施の形態は本考案の原理およびその概念を例示するための具体的な実施の形態として記載したにすぎない。つまり、本考案は上記の実施の形態に限定されるものではない。本考案は、例えば次のように変更した態様で具体化することも可能である。
・上記以外の収容ボックス１の素材を使用することができる。
・収容ボックス１内に突起を形成し、更に棚板等を配置するようにしてもよい。
・本体プレート２や底板１５の形状は上記は一例である。例えば本体プレート２の窓孔１２の形状も一例であり、変更して実施するようにしてもよい。
・固定部材としてスナップロック１６以外を使用してもよい。
・折れ線８を構成する長孔の形状や数は適宜変更可能である。長孔でなくともよい。
・収容容器集合体の連結パターンは上記は一例であって他の連結パターンで連結してもよい。
【符号の説明】
【００１３】
１…収容容器としての収容ボックス、２…本体としての本体プレート、１５…連結部材としての底板。
【図１】
0003218040.tif 000003
【図２】
0003218040.tif 000004
【図３】
0003218040.tif 000005
【図４】
0003218040.tif 000006
【図５】
0003218040.tif 000007
【手続補正書】
【提出日】平成30年7月18日(2018.7.18)
【手続補正１】
【補正対象書類名】実用新案登録請求の範囲
【補正対象項目名】全文
【補正方法】変更
【補正の内容】
【実用新案登録請求の範囲】
【請求項１】
合金製の１枚の板材からなる本体に複数の透孔列からなる直線状の２つの平行な折れ線を形成し、前記折れ線に沿って折り曲げることで天板と左右の側板からなるコ字状に屈曲された前記本体となし、前記側板の開放端部間を連結部材で連結することで構成したことを特徴とする収容容器。
【請求項２】
２つの平行な前記折れ線はそれぞれ近い方の前記開放端部までの距離が等距離に設定されていることを特徴とする請求項１に記載の収容容器。
【請求項３】
前記開放端部と前記連結部材とは固定部材によって連結されることを特徴とする請求項１又は２に記載の収容容器。
【手続補正３】
【補正対象書類名】明細書
【補正対象項目名】０００７
【補正方法】変更
【補正の内容】
【０００７】
本考案によれば、簡単に組み立てられ、組み立てる前は平らな嵩張らない形状とできるため運搬性、格納性に優れた収容容器を提供することができる。